(57)【特許請求の範囲】
【請求項１】
一端部に給電側端子を有し、他端部にアース側端子を有する直管型ＬＥＤランプを光源として使用する照明器具であって、
長尺の板状部分を有し、かつ、前記板状部分の下面には、前記直管型ＬＥＤランプを点灯させる電源としての電源ブロックが取り付けられる器具本体と、
前記器具本体に固定される第１、第２の給電側ソケットと、
前記器具本体に固定される第１、第２のアース側ソケットと、
を備え、
前記第１、第２の給電側ソケットは、前記器具本体の前記板状部分における、長手方向の一方の端部において、隣り合わせで配置され、
前記第１、第２のアース側ソケットは、前記器具本体の前記板状部分における、長手方向の他方の端部において、隣り合わせで配置され、
前記第１の給電側ソケットと前記第１のアース側ソケットは対向し、
前記第２の給電側ソケットと前記第２のアース側ソケットは対向し、
前記第１の給電側ソケットおよび前記第１のアース側ソケットには、第１の直管型ＬＥＤランプの給電側端子およびアース側端子が取り付けられ、
前記第２の給電側ソケットおよび前記第２のアース側ソケットには、第２の直管型ＬＥＤランプの給電側端子およびアース側端子が取り付けられ、
前記第１、第２の直管型ＬＥＤランプが取り付けられた場合には、前記第１、第２の直管型ＬＥＤランプは、前記器具本体の前記板状部分の長手方向に沿って、互いに平行に配置され、
隣り合う前記第１、第２のアース側ソケットは、第１のアース線によって電気的に接続され、かつ、前記第１、第２のアース側ソケットのいずれか一方は、第２のアース線によって前記器具本体の接地箇所に電気的に接続される照明器具。
【請求項２】
請求項１に記載の照明器具において、
前記電源ブロックは、前記器具本体の前記板状部分における長手方向の中央を基準として、前記第１、第２の給電側ソケットに近い側である前記一方の端部の側に位置する照明器具。
【発明の詳細な説明】
【技術分野】
【０００１】
本発明は、ＬＥＤを有する直管型ＬＥＤランプを光源として天井面に設置される照明器具に関する。
【背景技術】
【０００２】
従来より、天井面に取り付けられる器具本体と、器具本体の長手方向の両端部にそれぞれ設けられる二対のソケットと、器具本体に取り付けられる断面略Ｖ字形の反射板と、器具本体に長手方向が一致する形でソケットに保持される２本の直管型の蛍光灯とを備える照明器具が知られている（例えば、特許文献１参照）。
【先行技術文献】
【特許文献】
【０００３】
【特許文献１】特開２００７−２１３９６８号公報（図１、段落００１２）
【発明の概要】
【発明が解決しようとする課題】
【０００４】
近年のＬＥＤ技術の発展に伴い、省エネ等の観点からＬＥＤを内蔵した直管型ＬＥＤランプを装備する照明器具が提案されている。
このような直管型ＬＥＤランプは、一方の口金側に給電側端子が配置され、他方の口金側にアース側端子が配置されている。
一方、直管型ＬＥＤランプを取り付ける照明器具は、器具本体に、直管型ＬＥＤランプの給電側端子に電気的に接続される給電側ソケットと、直管型ＬＥＤランプのアース側端子に電気的に接続されるアース側ソケットとを装備する。
そのため、このような従来の照明器具は、直管型ＬＥＤランプを器具本体に取り付けるに際し、直管型ＬＥＤランプの給電側端子を器具本体の給電側ソケットに、直管型ＬＥＤランプのアース側端子を器具本体のアース側ソケットに、それぞれの向きを確認して合わせて取り付けなければならない。
従って、このような従来の照明器具は、直管型ＬＥＤランプの取り付けを簡単にできない。
また、このような従来の照明器具において、器具本体の給電側ソケットと、器具本体のアース側ソケットとが対向して配置されている場合、それらを電気的に接続する器具内配線が複雑になる。
従って、このような従来の照明器具は、配策作業を容易にできない。
【０００５】
本発明は、前述した課題を解決するためになされたものであり、その目的は、直管型ＬＥＤランプの取り付けを簡単にでき、器具内配線の配策を容易にできる照明器具を提供することにある。
【課題を解決するための手段】
【０００６】
本発明に係る照明器具は、一端部に給電側端子を有し、他端部にアース側端子を有する直管型ＬＥＤランプを光源として使用する照明器具であって、長尺の板状部分を有し、かつ、前記板状部分の下面には、前記直管型ＬＥＤランプを点灯させる電源としての電源ブロックが取り付けられる器具本体と、前記器具本体に固定される第１、第２の給電側ソケットと、前記器具本体に固定される第１、第２のアース側ソケットと、を備え、前記第１、第２の給電側ソケットは、前記器具本体の前記板状部分における、長手方向の一方の端部において、隣り合わせで配置され、前記第１、第２のアース側ソケットは、前記器具本体の前記板状部分における、長手方向の他方の端部において、隣り合わせで配置され、前記第１の給電側ソケットと前記第１のアース側ソケットは対向し、前記第２の給電側ソケットと前記第２のアース側ソケットは対向し、前記第１の給電側ソケットおよび前記第１のアース側ソケットには、第１の直管型ＬＥＤランプの給電側端子およびアース側端子が取り付けられ、前記第２の給電側ソケットおよび前記第２のアース側ソケットには、第２の直管型ＬＥＤランプの給電側端子およびアース側端子が取り付けられ、前記第１、第２の直管型ＬＥＤランプが取り付けられた場合には、前記第１、第２の直管型ＬＥＤランプは、前記器具本体の前記板状部分の長手方向に沿って、互いに平行に配置され、隣り合う前記第１、第２のアース側ソケットは、第１のアース線によって電気的に接続され、かつ、前記第１、第２のアース側ソケットのいずれか一方は、第２のアース線によって前記器具本体の接地箇所に電気的に接続される。
【０００７】
本発明に係る照明器具は、前記電源ブロックは、前記器具本体の前記板状部分における長手方向の中央を基準として、前記第１、第２の給電側ソケットに近い側である前記一方の端部の側に位置する。
【発明の効果】
【０００９】
本発明に係る照明器具によれば、直管型ＬＥＤランプの取り付けを簡単にでき、器具内配線の配策を容易にできるという効果を奏する。
【図面の簡単な説明】
【００１０】
【図１】本発明に係る一実施形態の照明器具の斜め下方から視た分解斜視図
【図２】本発明に係る一実施形態の照明器具の器具本体の一部破断底面図
【図３】本発明に係る一実施形態の照明器具のアース側ソケット周りの外観斜視図
【発明を実施するための形態】
【００１１】
以下、本発明に係る一実施形態の照明器具について図面を参照して説明する。
図１に示すように、本発明に係る一実施形態の照明器具１０は、器具本体１１と、器具本体１１の一端部に取り付けられた一対の給電側ソケット１２と、器具本体１１の他端部に取り付けられた一対のアース側ソケット１３と、一対の給電側ソケット１２と一対のアース側ソケット１３とに電気的に接続されて機械的に取り付けられる一対の直管型ＬＥＤランプ１４と、直管型ＬＥＤランプ１４の上方に配置されて器具本体１１に取り付けられる反射板１５とを備えて不図示の天井面に設置されるベースライトである。
【００１２】
器具本体１１は、厚みの薄い金属製板部材を折曲することにより下方を開口させて成形されており、両端部に器具本体１１の短手方向に長さを有する一対のソケット取付部材１６を有する。一方の端部の位置のソケット取付部材１６には、一対の給電側ソケット１２が下方に向けて突出されて取り付けられているとともに反射板取付ばね１７が取り付けられている。他方の端部の位置のソケット取付部材１６には、一対のアース側ソケット１３が下方に向けて突出されて取り付けられているとともに反射板取付ばね１７が取り付けられている。器具本体１１には、電源端子台１８と、電源ブロック１９とが収容されている。
【００１３】
直管型ＬＥＤランプ１４は、断面がほぼ円形状のガラス管２０の一端部の口金２１に、給電側ソケット１２内に収容されている不図示の一対の給電側端子受に電気的に接続される一対の給電側端子２２を有し、ガラス管２０の他端部の口金２３に、アース側ソケット１３内に収容されている不図示の一対のアース側端子受に電気的に接続される単一のアース側端子２４を有する。
直管型ＬＥＤランプ１４は、ガラス管２０内に、複数のＬＥＤ２５を器具本体１１の長手方向に実装させたＬＥＤ基板２６を有するＬＥＤユニット２７を内蔵している。直管型ＬＥＤランプ１４は、被照射対象に向けた照射範囲が全周に対して１／２ないし２／３である。直管型ＬＥＤランプ１４は、給電側ソケット１２から給電された直流電流が給電側端子２２からアース側端子２４を通じてアース側ソケット１３に流れることによりＬＥＤ基板２６に有する不図示のプリント回路に直流電流が供給されてＬＥＤ２５が発光される。
【００１４】
反射板１５は、内面に白色や乳白色に塗装された反射面２８を有する。反射板１５は、器具本体１１の反射板取付ばね１７により挟持されてねじ止めされることにより器具本体１１に一体的に組み付けられる。反射板１５には、一対の給電側ソケット１２と一対のアース側ソケット１３とを挿通させるための不図示のソケット挿通孔を有するために、器具本体１１に組み付けられた際に、一対の給電側ソケット１２と一対のアース側ソケット１３とを内側に配置する。
【００１５】
図２に示すように、器具本体１１は、中央部に電源端子台１８が取り付けられており、電源端子台１８の給電側ソケット１２側に寄った位置に電源ブロック１９が取り付けられている。電源端子台１８は、不図示の外部回路に接続されるとともに電源ブロック１９に接続されるために、外部回路からの電流を電源ブロック１９に給電する。器具本体１１は、電源端子台１８と電源ブロック１９との長手方向の外側に、一対のボルト孔２９と、一対のボルト孔２９の外側に配置された一対の木ねじ孔３０とを有する。
【００１６】
電源ブロック１９は、給電側ソケット１２側に配置されている不図示の給電部が器具内配線３１を通じて一対の給電側ソケット１２に接続されている。
従って、電源ブロック１９から一対の給電側ソケット１２に接続される器具内配線３１が、電源ブロック１９に近接される給電側ソケット１２に接続されるために、器具内配線３１の長さを短縮できる。
【００１７】
図３に示すように、一対のアース側ソケット１３において、一方のアース側ソケット１３から器具内配線の一部である第１アース線３２が引き出されて他方のアース側ソケット１３に接続されており、他方のアース側ソケット１３から引き出された器具内配線の一部である第２アース線３３が器具本体１１にねじ３４のねじ込みにより接地に接続されている。
従って、一対の直管型ＬＥＤランプ１４におけるアース側端子２４に接続されるアース側ソケット１３が器具本体１１の他方の端部の位置にそれぞれ配置されて、第１アース線３２が一方のアース側ソケット１３から他方のアース側ソケット１３に電気的に接続され、第２アース線３３が他方のアース側ソケット１３から器具本体１１に電気的に接続されるために、第１アース線３２および第２アース線３３の配策距離を短縮できる。
【００１８】
このように、器具本体１１において、一対の直管型ＬＥＤランプ１４における給電側端子２２に接続される給電側ソケット１２が器具本体１１の一方の端部の位置にそれぞれ配置され、一対の直管型ＬＥＤランプ１４におけるアース側端子２４に接続されるアース側ソケット１３が器具本体１１の他方の端部の位置にそれぞれ配置される。
従って、一対の直管型ＬＥＤランプ１４を器具本体１１に取り付けるに際し、一対の直管型ＬＥＤランプ１４の向きを確認することなく、直管型ＬＥＤランプ１４の取り付けを簡単にできる。
【００１９】
また、一対の直管型ＬＥＤランプ１４におけるアース側端子２４に接続されるアース側ソケット１３が器具本体１１の他方の端部の位置にそれぞれ配置されている。
従って、給電側ソケット１２に接続される器具内配線３１と、アース側ソケット１３に接続される第１アース線３２および第２アース線３３のそれぞれの配策距離を短縮して器具内配線３１と第１アース線３２と第２アース線３３との配策を容易にできる。
【００２０】
以上、説明したように一実施形態の照明器具１０によれば、一対の直管型ＬＥＤランプ１４における給電側端子２２に接続される給電側ソケット１２が器具本体１１の一方の端部の位置にそれぞれ配置され、一対の直管型ＬＥＤランプ１４におけるアース側端子２４に接続されるアース側ソケット１３が器具本体１１の他方の端部の位置にそれぞれ配置されるために、一対の直管型ＬＥＤランプ１４を器具本体１１に取り付けるに際し、一対の直管型ＬＥＤランプ１４の向きを確認することなく、直管型ＬＥＤランプ１４の取り付けを簡単にできる。また、一実施形態の照明器具１０によれば、給電側ソケット１２に接続される器具内配線３１およびアース側ソケット１３に接続される第１アース線３２および第２アース線３３のそれぞれの配策距離を短縮して器具内配線３１と第１アース線３２と第２アース線３３との配策を容易にできる。
【００２１】
また、一実施形態の照明器具１０によれば、一対の直管型ＬＥＤランプ１４におけるアース側端子２４に接続されるアース側ソケット１３が器具本体１１の他方の端部の位置にそれぞれ配置されて、第１アース線３２が一方のアース側ソケット１３から他方のアース側ソケット１３に電気的に接続され、第２アース線３３が他方のアース側ソケット１３から器具本体１１に電気的に接続されるために、第１アース線３２および第２アース線３３の配策距離を短縮できる。
【００２２】
そして、一実施形態の照明器具１０によれば、電源ブロック１９から一対の給電側ソケット１２に接続される器具内配線３１が、電源ブロック１９に近接される給電側ソケット１２に接続されるために、器具内配線３１の長さを短縮できる。
【００２３】
なお、本発明の照明器具において反射板，ＬＥＤ，ＬＥＤ基板，ＬＥＤユニット等は、前述した一実施形態に限定されるものでなく、適宜な変形や改良等が可能である。
【符号の説明】
【００２４】
１０  照明器具
１１  器具本体
１２  給電側ソケット
１３  アース側ソケット
１４  直管型ＬＥＤランプ
１９  電源ブロック
２２  給電側端子
２４  アース側端子
２５  ＬＥＤ
３１  器具内配線
３２  第１アース線
３３  第２アース線
【図１】
0005736539.tif 000002
【図２】
0005736539.tif 000003
【図３】
0005736539.tif 000004